(57)【要約】【課題】回転遊具の固定台と回転体との間に形成される隙間部に遊戯者の手が挟まれることを防止し、安全に使用できる回転遊具を提供する。【解決手段】地面に設置され、平面視において概略円形状をなす固定台１と、固定台１の中心部を回転中心として固定台１に回転自在に設けられ、遊戯者が搭乗可能に構成された回転体２と、固定台１の中心部に立設されて回転体２の中心部を貫通する支柱３１を有し、遊戯者により操作されることにより、固定台１に対して回転体２を回転させるハンドル部３と、固定台１及び回転体２の間に形成される平面視において概略円形状をなす隙間部１０の少なくとも一部を覆うカバー部材４とを備える。【選択図】図１
2015039435.tif 000002
【特許請求の範囲】
【請求項１】
地面に設置され、平面視において概略円形状をなす固定台と、
前記固定台の中心部を回転中心として前記固定台に回転自在に設けられ、遊戯者が搭乗可能に構成された回転体と、
前記固定台の中心部に立設されて前記回転体の中心部を貫通する支柱を有し、前記遊戯者により操作されることにより、前記固定台に対して前記回転体を回転させるハンドル部と、
前記固定台及び前記回転体の間に形成される平面視において概略円形状をなす隙間部の少なくとも一部を覆うカバー部材とを備える回転遊具。
【請求項２】
前記回転体が、前記遊戯者が乗り降りする乗降部を有し、
前記カバー部材が、少なくとも前記乗降部の下面における前記隙間部を覆うように設けられる請求項１記載の回転遊具。
【請求項３】
前記隙間部が、前記固定台の上面及び前記回転体の下面の間に形成されるものであり、
前記回転体の下面に、前記カバー部材を固定するための固定壁部が形成されており、
前記固定壁部に前記カバー部材が取り付けられることにより、前記カバー部材が、前記隙間部を覆うように設けられる請求項１又は２記載の回転遊具。
【発明の詳細な説明】
【技術分野】
【０００１】
本発明は、幼児又は子供等の遊戯者が搭乗した状態で回転しながら楽しむことができる回転遊具に関するものである。
【背景技術】
【０００２】
従来、例えば特許文献１に示すように、幼児又は子供等の遊戯者がコーヒーカップ等を模した回転体に搭乗した状態で回転する回転遊具が公園や幼稚園等に設置されている。
【０００３】
この回転遊具は、地面に設置される固定台と、当該固定台の中心部を回転中心として回転自在に設けられ、遊戯者が搭乗可能に構成された回転体とを備えており、固定台の上面と回転体の下面との間に隙間部が形成されている。また、回転体には、遊戯者が乗り降りするための乗降部が形成されている。
【０００４】
しかしながら、遊戯者が回転体の床にしゃがんで、乗降部の床部分の端部を掴んで遊ぶなどして、遊戯中（回転中）に、隙間部に手を差し込むことにより、前記固定台と回転している前記回転体との間に遊戯者の手が挟まれる恐れがあり、重大事故に繋がる可能性がある。また、実際に重大事故が発生している。
【先行技術文献】
【特許文献】
【０００５】
【特許文献１】特開平１０−１１３４７４号公報
【発明の概要】
【発明が解決しようとする課題】
【０００６】
そこで本発明は、回転遊具の固定台と回転体との間に形成される隙間部に遊戯者の手が挟まれることを防止し、安全に使用できる回転遊具を提供することを主たる所期課題とするものである。
【課題を解決するための手段】
【０００７】
すなわち本発明に係る回転遊具は、地面に設置され、平面視において概略円形状をなす固定台と、前記固定台の中心部を回転中心として前記固定台に回転自在に設けられ、遊戯者が搭乗可能に構成された回転体と、前記固定台の中心部に立設されて前記回転体の中心部を貫通する支柱を有し、前記遊戯者により操作されることにより、前記固定台に対して前記回転体を回転させるハンドル部と、前記固定台及び前記回転体の間に形成される平面視において概略円形状をなす隙間部の少なくとも一部を覆うカバー部材とを備えることを特徴とする。
【０００８】
このようなものであれば、前記固定台及び前記回転体の間に形成される隙間部の少なくとも一部が、前記カバー部材により覆われるので、前記隙間部に遊戯者の手が挟まれることを防止し、遊戯者が回転遊具を安全に使用することができる。
【０００９】
前記回転体が、前記遊戯者が乗り降りする乗降部を有し、前記カバー部材が、少なくとも前記乗降部の下面における前記隙間部を覆うように設けられることが望ましい。これならば、遊戯者が回転体に形成された乗降部の床を掴んで遊ぶなどしたとしても、前記隙間部に遊戯者の手が挟まれることを確実に防止し、遊戯者が回転遊具を安全に使用することができる。
【００１０】
また、前記隙間部が、前記固定台の上面及び前記回転体の下面の間に形成されるものであり、前記回転体の下面に、前記カバー部材を固定するための固定壁部が形成されており、前記固定壁部に前記カバー部材が取り付けられることにより、前記カバー部材が、前記隙間部を覆うように設けられることが望ましい。これならば、前記カバー部材を確実に前記隙間部を覆うように取り付けることができるとともに、前記カバー部材の取り付け作業を容易にすることができる。
【発明の効果】
【００１１】
このように構成した本発明によれば、回転遊具の固定台と回転体との間に形成される隙間部に遊戯者の手が挟まれることを防止し、安全に使用できる回転遊具を提供することができる。
【図面の簡単な説明】
【００１２】
【図１】本実施形態における回転遊具の構成を示す断面図。
【図２】同実施形態における回転遊具の隙間部の構成を示す拡大断面図。
【図３】同実施形態における回転遊具の固定台及び車輪部材の構成を示す平面図。
【図４】変形実施形態における回転遊具の隙間部の構成を示す拡大断面図。
【発明を実施するための形態】
【００１３】
以下に本発明の一実施形態について図面を参照して説明する。
【００１４】
本実施形態に係る回転遊具１００は、図１に示すように、地面に固定された固定台１と、固定台１に回転自在に設けられた回転体２と、当該回転体２の中心部を貫通する支柱３１を有し、遊戯者により操作されることにより、固定台１に対して回転体２を回転させるハンドル部３とを有する。
【００１５】
固定台１は、図１及び図２に示すように、上方に開口する概略有底円筒状をなすものである。具体的に固定台１は、例えばステンレス鋼又は鉄等の金属からなるものであり、地面に固定される底壁１１及び底壁１１の周縁から上方に延び、上端面が回転体２の下面に対向する側周壁１２とを有する。
【００１６】
回転体２は、図１に示すように、固定台１の上に回転可能に設けられた基台２１と、基台２１の上面に固定された着座部２２とを有する。
【００１７】
基台２１は、平面視において円形状をなす円板部２１１と、当該円板部２１１の周縁の外側全周に設けられ、断面円形状の外枠２１２とを有する。この円板部２１１及び外枠２１２は、それぞれステンレス鋼又は鉄等の金属からなるものである。ここで、円板部２１１の上面は、遊戯者が回転遊具１００に搭乗した場合に床としての役割を果たす。また、基台２１の外径、つまり外枠２１２の外径は、固定台１の外径、つまり側周壁１２の外径よりも所定寸法以上大きくなるように構成されている。さらに、平面視における基台２１の上面の中央部には、ハンドル部３の支柱３１を貫通させるとともに支柱３１を覆う、上方に延びる円筒状の支柱覆い部２１３が形成されている。
【００１８】
着座部２２は、基台２１の上面において、その周縁に沿って形成されるものであり、ＦＲＰ等の樹脂からなる。また、着座部２２は、平面視において円周の一部が無い概略円弧状をなすものである。この着座部２２の無い部分、つまり、基台２１の上部における着座部２２の周方向両端部の間が、遊戯者が回転遊具１００に乗り降りする乗降部（不図示）としての役割を果たす。さらに、着座部２２は、遊戯者が基台２１の平面視における中心部を向いて着座するように構成されている。具体的に着座部２２は、遊戯者が着座する着座面２２１と、着座面２２１に連続して設けられ、上方に延びる背もたれ面２２２とが一体化されたものである。
【００１９】
そして、回転体２は、基台２１の円板部２１１の上面（床）と、着座部２２の着座面２２１及び背もたれ面２２２とにより遊戯者が搭乗する空間を形成する。
【００２０】
また、基台２１は、当該基台２１の円板部２１１の下面中央部が、固定台１に収容されたベアリング５を介して固定台１の中心部に回転自在に連結されている。さらに、固定台１の底壁１１と、基台２１の円板部２１１の下面との間に、上向きに車輪が露出して、当該車輪が基台２１の円板部２１１の下面に接触するように取り付けられた複数の車輪部材６が設けられている。
【００２１】
具体的に車輪部材６は、底壁１１に取り付けられ、回転体２を回転可能に支持するとともに、回転体２の姿勢を維持するものであり、図２に示すように、固定台１の側周壁１２近傍において円周方向に沿って等間隔に配置されている。また、車輪部材６は、回転方向が円周方向（回転体２の回転方向）になるように配置されるとともに、各車輪部材６が底壁１１の中心部から等距離になるように配置されている。この車輪部材６は、本実施形態では８個配置されている。なお、車輪部材６の数は８個に限られるものではなく、何個であっても良いが、いずれかの車輪部材６が破損又は故障した場合に回転体２の姿勢を維持するためには、５個以上であることが望ましい。
【００２２】
ハンドル部３は、固定台１の底壁１１の中央部に固定され、上方に延びる支柱３１と、当該支柱３１の上端部に連結され、平面視において円形状をなすハンドル３２とを有する。この支柱３１及びハンドル３２は、例えばステンレス鋼又は鉄等の金属からなるものである。
【００２３】
このように構成された本実施形態の回転遊具１００は、回転体２に搭乗した遊戯者が、固定台１に固定されたハンドル部３のハンドル３２を回すように操作することにより、固定台１に回転自在に設けられた回転体２が固定台１に対して相対的に回転する。ここで、固定台１は地面に固定されているので、回転体２は地面に対しても相対的に回転する。
【００２４】
ここで、本実施形態では、図１及び図３に示すように、固定台１と回転体２との間に平面視において概略円形状をなす隙間部１０が形成される。具体的には、固定台１の側周壁１２の上面と、回転体２の円板部２１１の下面との間に隙間部１０が形成される。
【００２５】
そして、本実施形態の回転遊具１００は、少なくとも前記乗降部の下面の隙間部１０を外側から覆うカバー部材４を備える。具体的には、カバー部材４は、隙間部１０の略全周を外側から覆うものであり、隙間部１０の外形輪郭形状よりも若干大きい円環状をなすものである。ここで、カバー部材４は、円環状をなすものに限られず、例えば四角形等の多角形状をなすものであっても良い。また、カバー部材４は、可撓性を有する弾性材料からなり、断面中空状をなし、本実施形態ではゴム製のものである。
【００２６】
カバー部材４は、図１及び図３に示すように、回転体２の下面に固定されている。具体的には、カバー部材４は、回転体２の下面に形成された固定壁部２１３に固定されている。ここで、固定壁部２１３は、回転体２における基台２１の円板部２１１の下面において円周方向に沿って下方に延びるものであり、基台２１の外枠２１２と固定台１の側周壁１２との間に形成されている。本実施形態では、カバー部材４は回転体２側に固定されるので、回転体２が回転する場合には、カバー部材４も回転体２と一体となって回転する。
【００２７】
さらに、本実施形態の回転遊具１００は、図１、図２及び図３に示すように、固定台１の側周壁１２に、当該側周壁１２の上端面の略全周を覆うブレーキ部材１３を備える。このブレーキ部材１３は、ポリ塩化ビニル等の樹脂からなるものである。これにより、基台２１の円板部２１１の下面、つまり回転体２の下面と、ブレーキ部材１３とが対向する構成になる。
【００２８】
また、ブレーキ部材１３の上面は、車輪部材６と基台２１の円板部２１１の下面との接触位置よりも僅かに低くなるように、つまり円板部２１１の下面との間に隙間ができるように構成されており、正常時は回転体２の下面に接触しないように構成されている。このブレーキ部材１３は、例えば車輪部材６が破損又は故障するなどして回転体２の回転軸が所定角度以上傾斜した場合に、基台２１の円板部２１１の下面に接触して、回転体２の回転を制動するものである。
【００２９】
加えて、本実施形態の回転遊具１００は、外枠２１２の外周面から隙間部１０までの距離が、遊戯者の手の長さよりも大きくなるように構成されている。具体的には、外枠２１２の外周面から固定台１の側周壁１２までの距離が、遊戯者の手の長さよりも大きくなるように構成されている。
【００３０】
＜本実施形態の効果＞
このように構成した回転遊具１００によれば、固定台１の側周壁１２及び回転体２の固定壁部２１３の間に形成される隙間部１０の略全周が、カバー部材４により覆われるので、隙間部１０に遊戯者の手が挟まれることを防止し、遊戯者が回転遊具１００を安全に使用することができる。
【００３１】
また、回転体２の円板部２１１の下面に形成された固定壁部２１３にカバー部材４が取り付けられる構成であるので、カバー部材４を確実に取り付けることができるとともに、カバー部材４の取り付け作業を容易にすることができる。
【００３２】
さらに、固定台１に対して回転体２の回転軸が所定角度以上傾斜した場合に、基台２１の円板部２１１の下面に接触して、回転体２の回転を制動するブレーキ部材１３を備えるので、車輪部材６が破損又は故障するなどして回転体２の回転軸が所定角度以上傾斜した場合に、回転体２の回転が止まり、回転体２の回転中に隙間部１０に遊戯者の手が挟まれることを防止し、遊戯者が回転遊具１００を安全に使用することができる。
【００３３】
加えて、外枠２１２の外周面から隙間部１０までの距離が、遊戯者の手の長さよりも大きくなるように構成されているので、遊戯者が遊戯中に回転体２の下に手を差し込んだとしても手が隙間部１０まで届かず、隙間部１０に遊戯者の手が挟まれることを防止できる。
【００３４】
＜その他の変形実施形態＞
なお、本発明は前記実施形態に限られるものではない。
例えば、カバー部材４は、固定台１の側周壁１２に固定されるものであってもよい。この場合、カバー部材４は、ブレーキ部材１３と一体化されているものであってもよい。
【００３５】
また、カバー部材４は、隙間部１０の略全周を覆うものに限られず、乗降部の床部２１３の下面の隙間部１０にのみ設けられるものであっても良い。
【００３６】
さらに、車輪部材６は、回転体２の下面に下向きに取り付けられるものであってもよい。この場合、車輪部材６は、着座部２２に直接取り付けられるものであっても良いし、基台２１の円板部２１１に取り付けられるものであっても良い。
【００３７】
加えて、ブレーキ部材１３は、回転体２の下面に取り付けられるものであってもよい。具体的には、基台２１の円板部２１１に取り付けられるものであっても良い。
【００３８】
さらに加えて、固定台１の平面視における形状は、必ずしも完全な円形状でなくても良く、一部に非円形部を有する形状であっても良い。同様に、隙間部１０の平面視における形状は、必ずしも完全な円形状でなくても良く、一部に非円形部を有する形状であっても良い。
【００３９】
その他、本発明は前記実施形態に限られず、その趣旨を逸脱しない範囲で種々の変形が可能であるのは言うまでもない。
【符号の説明】
【００４０】
１００・・・回転遊具
１    ・・・固定台
２    ・・・回転体
３    ・・・ハンドル部
３１  ・・・支柱
４    ・・・カバー部材
【図１】
2015039435.tif 000003
【図２】
2015039435.tif 000004
【図３】
2015039435.tif 000005
【図４】
2015039435.tif 000006